(57)【要約】【課題】施工性が良好で且つ操作盤から延び出したスイッチ配線を、締付ナットのねじ込みの際に挟み込んでしまう恐れのない吐水装置を提供する。【解決手段】吐水口を備え、カウンタ１５上に起立する状態に固定される吐水管３２と、上端側が吐水管３２に固定され、カウンタ１５の取付孔９６に下向きに挿通されて、締付ナット３６によりカウンタ１５に固定される取付筒３４と、操作スイッチの設けられた操作盤３８と、を有する吐水装置１２において、取付筒３４を吐水管３２及び操作盤３８とは別体に構成し、取付筒３４と吐水管３２との間に、操作盤３８から延び出したスイッチ配線１００を挿通して取付筒３４の内部に導く、切欠部９４による配線スペースを設ける。【選択図】        図２
2014145209.tif 000002
【特許請求の範囲】
【請求項１】
(ａ)吐水口を備え、カウンタ上に起立する状態に設置される水栓管と、
(ｂ)円筒状をなして上端側が該水栓管に固定され、該カウンタの取付孔に下向きに挿通されて、カウンタ裏側で外周面の雄ねじ部に締付ナットがねじ込まれることで該カウンタに固定される取付筒と、
(ｃ)該取付筒と前記水栓管との固定部を内側に隠蔽する状態で、該水栓管の付根部から該カウンタに沿って延び出す、吐水形態を変更可能な操作スイッチの設けられた操作盤と、
を有する吐水装置において、
前記取付筒を、前記水栓管及び前記操作盤とは別体に構成し、
該取付筒と該水栓管との間に、該操作盤から延び出したスイッチ配線を挿通して該取付筒の内部に導く配線スペースを設けたことを特徴とする吐水装置。
【発明の詳細な説明】
【技術分野】
【０００１】
この発明は吐水装置に関し、詳しくは吐水状態を変更可能な操作スイッチの設けられた操作盤を備えた吐水装置に関する。
【背景技術】
【０００２】
従来、吐水装置として、吐水口を備え、カウンタから起立する状態に設置される水栓管と、円筒状をなして上端側が水栓管に固定され、カウンタの取付孔に下向きに挿通されて、カウンタ裏側で外周面の雄ねじ部に締付ナットがねじ込まれることでカウンタに固定される取付筒と、取付筒と水栓管との固定部を内側に隠蔽する状態で、水栓管の付根部からカウンタに沿って延び出す、吐水形態を変更可能な操作スイッチの設けられた操作盤と、を有するものが知られている。
この種吐水装置においては、その設置施工を行うに際して、操作盤から延び出したスイッチ配線をどのようにして締付ナット等にて挟み込んでしまわないようにするか、またどのようにして施工性を良くするかが問題となる。
【０００３】
下記特許文献１には「自動水栓」についての発明が示され、図５等において、カウンタ上に起立する形態の水栓管から軸状のボルト（緊締ボルト(60)）を、カウンタの取付孔（連絡孔(20)）を挿通して下向きに延び出させ、カウンタ裏側で締付ナット（緊締ナット(63)）をねじ込むことで、水栓管の台座部となる操作盤（ベースプレート(35)）と緊締用座板(62)とでカウンタを挟み込む状態に、水栓管をカウンタに取付固定する点が開示されている。
この特許文献１にはまた、操作盤から延び出したスイッチ配線を、カウンタの取付孔を通じて下向きに取り出す点が開示されている。
【０００４】
しかしながらこの特許文献１に記載のものでは、スイッチ配線がボルトの外側にむき出しの状態で露出しているため、締付ナットをボルトにねじ込んだときに、緊締用座板(62)がカウンタとの間にスイッチ配線を挟み込んでしまう恐れがある。
またスイッチ配線が邪魔となるために施工がし難いといった問題がある。
【０００５】
特許文献２には「水栓設置台装置」についての発明が示され、図７等において、カウンタ（取付台部(18)）上に起立する水栓管から雄ねじ管(50)を、カウンタの取付穴(52)を挿通して下向きに延び出させ、カウンタ裏側で締付ナット(54)をねじ込むことで、操作スイッチ(70)付きのスペーサ部材(66)と締付ナット(54)とでカウンタを挟み込む状態に、水栓管をカウンタに取付固定する点が開示されている。
この特許文献２には、また、スペーサ部材(66)から延び出したスイッチ配線を、取付穴(52)内の雄ねじ管(50)外側の狭い隙間を挿通してカウンタ裏側に引き出す点が開示されている。
【０００６】
この特許文献２に記載のものでは、スイッチ配線をカウンタ下側のＣ字状のスペーサ部材(58)の切欠部分を通じて外側へと逃すようにしているが、スイッチ配線(46)が雄ねじ管(50)の外側に位置しているため、締付ナット(54)をねじ込む際にこれが邪魔であり、施工性を悪くする問題がある。
また場合によって締付ナット(54)をねじ込む際に、スイッチ配線を挟み込んでしまう可能性も残っている。
【０００７】
下記特許文献３には「電気制御水栓の操作パネルの取り付け構造」についての考案が示され、図２，図３等に、カウンタの取付孔(2)を挿通する雄ねじ筒(9)に対して、締付ナット（ナット(10)）をカウンタ裏側でねじ込むことで、水栓管をカウンタに起立状態に取付固定する点、及び操作パネル(6)から延び出したケーブル(28)を基台部(3b)の横向きの雌ねじ孔(31)に挿通し、更に雄ねじ筒(9)内部を通ってこれをカウンタ下側に取り出す点が開示されている。
【０００８】
この特許文献３に記載のものでは、雄ねじ筒(9)内部を通ってカウンタ下側にケーブル(28)が取り出されるため、締付ナットのねじ込みの際にケーブル(28)を挟み込んでしまう恐れはないが、ケーブル(28)を基台部(3b)の雌ねじ孔(31)に挿入するために手間がかかり、施工性の点で問題がある。
【先行技術文献】
【特許文献】
【０００９】
【特許文献１】特開平１１−６１９１８号公報
【特許文献２】特開平９−３０２７４７号公報
【特許文献３】実公平７−５０４３０号公報
【発明の概要】
【発明が解決しようとする課題】
【００１０】
本発明は以上のような事情を背景とし、施工性が良好で且つ操作盤から延び出したスイッチ配線を、締付ナットのねじ込みの際に挟み込んでしまう恐れのない吐水装置を提供することを目的としてなされたものである。
【課題を解決するための手段】
【００１１】
而して請求項１のものは、(ａ)吐水口を備え、カウンタ上に起立する状態に設置される水栓管と、(ｂ)円筒状をなして上端側が該水栓管に固定され、該カウンタの取付孔に下向きに挿通されて、カウンタ裏側で外周面の雄ねじ部に締付ナットがねじ込まれることで該カウンタに固定される取付筒と、(ｃ)該取付筒と前記水栓管との固定部を内側に隠蔽する状態で、該水栓管の付根部から該カウンタに沿って延び出す、吐水形態を変更可能な操作スイッチの設けられた操作盤と、を有する吐水装置において、前記取付筒を、前記水栓管及び前記操作盤とは別体に構成し、該取付筒と該水栓管との間に、該操作盤から延び出したスイッチ配線を挿通して該取付筒の内部に導く配線スペースを設けたことを特徴とする。
【発明の作用・効果】
【００１２】
以上のように本発明は、吐水口を備え、カウンタ上に起立する水栓管をカウンタに固定する取付筒を、水栓管及び操作盤とは別体に構成し、そして取付筒と水栓管との間に、操作盤から延び出したスイッチ配線を挿通して取付筒の内部に導く配線スペースを設けたものである。
【００１３】
本発明によれば、取付筒と水栓管とが別体をなしていて、それらの間に配線スペースが設けてあるため、操作盤から延び出したスイッチ配線を簡単にその配線スペースに挿通し、更に取付筒の内部に通してカウンタ下側まで取り出すことができる。
本発明では、スイッチ配線が取付筒の内部を通じてカウンタ下側まで取り出されるため、カウンタ裏側で取付筒の雄ねじ部に締付ナットを締め込む際に、締付ナットがスイッチ配線を挟み込んでしまうのを防ぐことができる。
【００１４】
また本発明では、スイッチ配線のカウンタ下側への取出しが容易であり、また締付ナットのねじ込みによってスイッチ配線を挟み込む恐れが無いために、施工性良く吐水装置を取付施工することができる。
【００１５】
本発明では、水栓管のカウンタ側の基部を、基部より上方の水栓管本体とは別体に構成して、それら基部と水栓管本体とを結合しておくことができる。
またその際、基部と水栓管本体とで上記操作盤を挟み込んで操作盤を水栓管に固定することができる。
またその基部を取付筒に固定することで、水栓管全体を取付筒に固定状態とすることができる。
【図面の簡単な説明】
【００１６】
【図１】本発明の一実施形態の吐水装置を含む水栓を示した図である。
【図２】図１の吐水装置のカウンタへの取付構造を示した図である。
【図３】同吐水装置の構成部品を分解して示した斜視図である
【図４】図３で示した構成部品の断面図である。
【図５】図３の操作盤を更に分解して示した斜視図である。
【図６】同実施形態の作用説明図である。
【発明を実施するための形態】
【００１７】
次に本発明の実施形態を図面に基づいて詳しく説明する。
図１において、１０は水栓（この例では湯水混合水栓、以下単に水栓とすることがある）で、１２は大部分がカウンタ上に露出状態に設置される吐水装置、１４はカウンタ下に配置される制御機能部，１６は更にその下側に配置される温調機能部である。
温調機能部１６は、壁から突き出した水側，湯側の一対のクランク脚１８に接続された湯水混合バルブ２０をカバー２２の内側に有している。
【００１８】
湯水混合バルブ２０は、それら水側，湯側の各クランク脚１８から供給された水，湯を所定比率で混合するとともに、混合水を吐水装置１２に向けて図中上向きに供給する。
この湯水混合バルブ２０からは、温調ハンドル２４が図中下向きに突き出している。
【００１９】
制御機能部１４は、カバー２６の内側に吐止水弁としての電磁弁２８と、これを作動制御する制御基板３０とを有している。
制御機能部１４は、制御基板３０による制御の下で電磁弁２８を開弁又は閉弁させることで、吐水装置１２からの吐水と止水とを行わせる。
【００２０】
上記吐水装置１２は、カウンタ１５上に起立状態に設置された水栓管としての吐水管３２，吐水管３２をカウンタ１５に取付固定する取付筒３４，締付ナット３６及び操作盤３８を有している。
吐水管３２の上端側には吐水口４０が設けられており、更にその上側位置に、差し出された手等を検知する人体検知センサ４２が設けられている。
【００２１】
この例の水栓１０は自動水栓で、人体検知センサ４２が差し出された手等を検知すると、制御機能部１４において、制御基板３０による制御の下に電磁弁２８が開弁され、温調機能部１６における上記の湯水混合バルブ２０からの混合水が吐水口４０から自動吐水される。
また人体非検知となることで電磁弁２８が閉弁され、吐水口４０からの吐水が自動停止される。
【００２２】
吐水管３２の内部には、各一端が吐水口４０，人体検知センサ４２にそれぞれ接続された給水チューブ４４と、センサ配線４６とが通っている。
これら給水チューブ４４とセンサ配線４６は、それぞれ吐水管３２から取付筒３４を挿通して下向きに延び出している。
そして給水チューブ４４が制御機能部１４の電磁弁２８に接続され、またセンサ配線４６が同じく制御機能部１４の制御基板３０に接続されている。
吐水管３２にはまた、図示を省略する水槽の排水口を開閉するポップアップ排水栓を操作するための引き棒４８が設けられている。
【００２３】
図２〜図４及び図６に示しているように、吐水管３２は、カウンタ１５側の基部３２Ｂが、上方の吐水管本体３２Ａと別体に構成されている。
基部３２Ｂは、図３及び図４に示しているように円筒形状をなしており、その外周面に雄ねじ部５０が設けられている。
別体に構成された基部３２Ｂは、内周面に雌ねじ部５２の形成された吐水管本体３２Ａの外筒部５４内に、図中下方から上向きにねじ込まれ、吐水管本体３２Ａにねじ結合されている。
【００２４】
この基部３２Ｂには、下端部に径方向外方に突出した環状の挟持部５６が設けられている。
吐水管３２は、この基部３２Ｂと吐水管本体３２Ａとによって、詳しくは基部３２Ｂの挟持部５６と外筒部５４とによって、操作盤３８を挟持している。即ちこれらにより挟持された状態で操作盤３８が吐水管３２に固定されている。
【００２５】
操作盤３８には、吐止水形態を変更するための操作スイッチ５７が設けられている。
ここで操作スイッチ５７は、人体検知センサ４２による人体検知に拘らず、手動操作によって吐水口４０から連続吐水させ又は止水させる吐止水スイッチとされている。
【００２６】
操作盤３８は、図４に示しているように上端が円形の開口５８を除いて閉鎖され、下端が開放された形状の４角い函状の外ケース６０と、その内側に配置された内ケース６２とを有している。
内ケース６２の内部には基板６４が配置され、その上にスイッチ本体６６が搭載されている。
一方外ケース６０には、上面から部分的に凹陥した形態の収容部６８が設けられていて、そこにスイッチ操作部７０が収容状態に配置されている。
また外ケース６０の上面には可撓性のシート７２が設けられており、このシート７２によってスイッチ操作部７０が上面側から覆われている。
【００２７】
図５に示しているように、外ケース６０には下向きに突出する円筒形状の一対のボス部８２が設けられている。ボス部８２の内周面は雌ねじ部とされている。
一方内ケース６２には一対の鍔部８４が設けられていて、それら鍔部８４に、ボス部８２に対応するビス孔８６が設けられている。
内ケース６２は、ビス孔８６を挿通してビス８８をボス部８２の雌ねじにねじ込むことで、外ケース６０に固定されている。
【００２８】
図３に示しているように、外ケース６０の上記開口５８周りには、内嵌合部７４が上方に突出する状態に円環状に設けられている。
一方吐水管本体３２Ａには、その下端に円環状の外嵌合部７６が設けられており、内嵌合部７４がその外嵌合部７６に対して内嵌状態に嵌合せしめられている。
【００２９】
この内嵌合部７４にはまた、周方向所定個所に部分的に上向きに突出した位置決凸部７８が設けられている。
一方吐水管本体３２Ａには位置決凹部８０が設けられており、それら位置決凸部７８と位置決凹部８０との凹凸嵌合によって、操作盤３８が吐水管３２に対して周方向に位置決めされている。
【００３０】
操作盤３８からは、図２及び図６に示しているようにスイッチ配線１００が延び出している。
スイッチ配線１００は、上記の取付筒３４を挿通してカウンタ１５下側に取り出され、制御機能部１４の制御基板３０に接続されている。
【００３１】
上記取付筒３４は円筒形状をなしている。
この取付筒３４は、上端と下端とが何れも開放形状をなしている。
この取付筒３４の外周面には雄ねじ部９０が設けられている。
またその上端側には、径方向外方に張り出した円環状の大径部９２が設けられている。この大径部９２には所定周長に亘り切欠部９４が設けられている。
ここで切欠部９４は大径部９２の上端まで到っている。従って切欠部９４は上端が開放された形状をなしている。
この切欠部９４は、上記のスイッチ配線１００を挿通して取付筒３４内部に導くための配線スペースを形成している。
【００３２】
この取付筒３４は、図２に示しているように大径部９２をカウンタ１５の上面に着座させる状態に、カウンタ１５の取付孔９６に下向きに挿通されている。
取付筒３４は下端側をカウンタ１５の下側に突き出しており、そしてその突き出した部分に締付ナット３６がねじ込まれている。
取付筒３４は、大径部９２と締付ナット３６とにより３角パッキン９８を介してカウンタ１５を上下両側から挟み込む状態にカウンタ１５に固定されている。
【００３３】
取付筒３４の大径部９２には、図２，図３及び図４に示しているように周方向の２個所に、これを貫通するビス孔１０２が設けられている。
一方上記の吐水管３２における基部３２Ｂには、その下面で開口する雌ねじ孔１０４が設けられている。
取付筒３４の大径部９２と基部３２Ｂとは、大径部９２のビス孔１０２を挿通して基部３２Ｂの雌ねじ孔１０４にねじ込まれた、図２及び図４に示すビス１０６にて互いに締結され、固定されている。
即ちこの取付筒３４の上端側に吐水管３２が固定されている。そして取付筒３４がカウンタ１５に固定されることで、吐水管３２がカウンタ１５に取付固定されている。
図２に示しているように、上記の操作盤３８は、これら取付筒３４と吐水管３２との固定部を外から覆い隠蔽する状態で、吐水管３２の付根部からカウンタ１５に沿って側方に延び出している。
【００３４】
尚、図３に示しているように基部３２Ｂの雌ねじ孔１０４は、取付筒３４のビス孔１０２よりも多い数で周方向複数個所に設けられている。
取付筒３４は、ビス１０６をねじ込む雌ねじ孔１０４を選択することで、基部３２Ｂに対する回転方向（周方向）の固定位置を選択できるようになっている。即ち切欠部９４の位置を周方向に変更し若しくは選択できるようになっている。
基部３２Ｂにはまた、工具掛け用の凹部１０８が設けられている。
基部３２Ｂは、これら凹部１０８に工具を掛けて回転操作することで、吐水管本体３２Ａにねじ込まれる。
【００３５】
本実施形態の吐水装置１２は、次のような手順に従ってカウンタ１５に取付施工することができる。
先ず、図６に示しているように操作盤３８を挟み込むようにして、吐水管３２における基部３２Ｂを吐水管本体３２Ａにねじ込み固定する。
その後、吐水管３２から延び出した給水チューブ４４，センサ配線４６を、取付筒３４の上端の開放部からその内部に挿通し、更に操作盤３８から延び出したスイッチ配線１００を、同じく取付筒３４の上端開放部からその内部に挿通する。
【００３６】
その際、スイッチ配線１００は、取付筒３４の大径部９２の径方向外側から、上端が開放された形態の切欠部９４に挿通して、取付筒３４の内部へと導くことができる。
或いは図６に示しているように、先ずスイッチ配線１００を大径部９２の上方から取付筒３４の内部に挿通し、その後取付筒３４を上向きに移動させることで、スイッチ配線１００を切欠部９４内に挿通状態に位置させることができる。
【００３７】
そしてその状態で、取付筒３４を吐水管３２の基部３２Ｂに固定する。
具体的には、取付筒３４のビス孔１０２に図４のビス１０６を挿通して、基部３２Ｂの雌ねじ孔１０４にねじ込む。
ここにおいて取付筒３４と基部３２Ｂとが締結固定される。即ち取付筒３４が上端部において吐水管３２に固定される。
この説明から明らかなように、基部３２Ｂは、取付筒３４と吐水管本体３２Ａとを連結し、接続する接続部材としての働きを有している。
【００３８】
以上のようにして取付筒３４を吐水管３２及び操作盤３８に固定したら、その後、取付筒３４をカウンタ１５の上方から取付孔９６内に下向きに挿通し、そしてカウンタ１５の裏側で取付筒３４の雄ねじ部９０に締付ナット３６をねじ込むことで、吐水管３２，操作盤３８をカウンタ１５に固定状態に設置することができる。
【００３９】
以上のように本実施形態では、取付筒３４と吐水管３２とを別体となして、それらの間に切欠部９４による配線スペースを設けているため、操作盤３８から延び出したスイッチ配線１００を簡単にその配線スペースに挿通し、更に取付筒３４の内部に通してカウンタ１５下側まで取り出すことができる。
本実施形態では、スイッチ配線１００が取付筒３４の内部を通じてカウンタ１５下側まで取り出されるため、カウンタ１５裏側で取付筒３４の雄ねじ部９０に締付ナット３６を締め込む際に、締付ナット３６がスイッチ配線１００を挟み込んでしまうのを防ぐことができる。
【００４０】
また本実施形態では、スイッチ配線１００のカウンタ１５下側への取出しが容易であり、また締付ナット３６がスイッチ配線１００を挟み込む恐れが無いために、施工性良く吐水装置１２を取付施工することができる。
【００４１】
以上本発明の実施形態を詳述したがこれはあくまで一例示である。
例えば上記実施形態では、操作スイッチ５７として吐水口４０から手動操作で吐水から止水に又は止水から吐水に切り替える吐止水スイッチを設けているが、かかる操作スイッチ５７として吐水口４０からの吐水を湯から水に若しくはその逆に切り替える湯水切替スイッチその他の吐水形態を変更する他の様々なスイッチを、吐止水スイッチに代えて或いはこれと併せて設けることも可能である。
また上記実施形態ではスイッチ配線１００の配線スペースを形成する切欠部を取付筒３４側にだけ設けているが、この切欠部を下端が開放された形で上記の基部３２Ｂ側にだけ設けること或いはそれら両方に設けることも可能である。
【００４２】
また操作盤３８を吐水管３２と取付筒３４とで挟み込むようにして吐水管３２に固定するようにしても良い。更には操作盤３８を台座部として、その台座部上に吐水管３２を載置する状態に設置することも可能である。
この場合において締付ナット３６のねじ込みにより締付ナット３６と台座部即ち操作盤とでカウンタ１５を挟み込むようになすことも可能である。
また場合によって操作盤３８を吐水管３２に一体に設けるといったことも可能である。
また、吐水管３２を吐水管本体３２Ａと基部３２Ｂとに分割しないで、吐水管３２を取付筒３４に到るまで下向きに長く一体に構成しておいて、取付筒３４に固定するといったことも可能である。
更に取付筒３４と吐水管３２との固定をビス１０６によらないで他の固定手段にて固定することも可能である等、本発明はその趣旨を逸脱しない範囲において種々変更を加えた形態で構成可能である。
【符号の説明】
【００４３】
１２  吐水装置
１５  カウンタ
３２  吐水管（水栓管）
３４  取付筒
３６  締付ナット
３８  操作盤
４０  吐水口
５７  操作スイッチ
９０  雄ねじ部
９４  切欠部（配線スペース）
９６  取付孔
１００  スイッチ配線
【図１】
2014145209.tif 000003
【図２】
2014145209.tif 000004
【図３】
2014145209.tif 000005
【図４】
2014145209.tif 000006
【図５】
2014145209.tif 000007
【図６】
2014145209.tif 000008